(57)【特許請求の範囲】
【請求項１】
電波を利用して無線通信が可能な無線通信システムにおける電子情報通信機器間でのリンク確立に際し、該電子情報通信機器にあっての接続先側では、ユーザ操作による電源ＯＮでの未接続状態で一定時間毎に該無線通信として赤外線通信により接続を希望する接続要求側へ機器識別情報を転送してから接続待ち状態となり、該接続要求側では、ユーザ操作による接続要求にあっての未接続状態で赤外線受信状態とした上で該機器識別情報を所定の時間内で受信を試みた後にリンク確立中へ移行し、該機器識別情報が受信された場合にはインクワイアリ動作により該接続先側へ質問要求して該接続先側から得られる質問応答に含まれる識別情報と該赤外線受信状態で得られた該機器識別情報とを比較した結果に応じて該比較結果が一致する該接続先側の特定されたものに対して該リンク確立を行って接続状態とし、該機器識別情報が受信されない場合にはインクワイアリ動作により該接続先側へ質問要求して該接続先側から得られる質問応答に含まれる識別情報をユーザに通知した上でユーザ操作による選択で該接続先側の特定されたものに対して該リンク確立を行って接続状態とすることを特徴とする無線通信接続先特定方法。
【請求項２】
請求項１記載の無線通信接続先特定方法において、前記無線通信システムとして近距離無線データ通信システムを利用したことを特徴とする無線通信接続先特定方法。
【請求項３】
請求項１又は２記載の無線通信接続先特定方法において、前記赤外線通信として赤外線通信方式を利用したことを特徴とする無線通信接続先特定方法。
【請求項４】
請求項３記載の無線通信接続先特定方法において、前記赤外線通信方式のコネクションレス型通信を使用したことを特徴とする無線通信接続先特定方法。
【請求項５】
請求項３記載の無線通信接続先特定方法において、前記赤外線通信方式のコネクション型通信を使用したことを特徴とする無線通信接続先特定方法。
【請求項６】
請求項１〜５の何れか一つに記載の無線通信接続先特定方法において、前記機器識別情報として近距離無線データ通信デバイスアドレスを使用したことを特徴とする無線通信接続先特定方法。
【請求項７】
請求項１〜５の何れか一つに記載の無線通信接続先特定方法において、前記機器識別情報として近距離無線データ通信デバイス名を使用したことを特徴とする無線通信接続先特定方法。
【発明の詳細な説明】
【０００１】
【発明の属する技術分野】
本発明は、主として指向性が弱い電波を利用した無線通信システムに好適な無線通信接続先特定方法であって、詳しくは無線通信システムにおける電子情報通信機器間の無線通信に指向性の強い赤外線を利用することで接続先を容易に特定可能にした無線通信接続先特定方法に関する。
【０００２】
【従来の技術】
従来、電子情報通信機器間を通信接続する場合、有線方式で行うのが一般的であるが、最近ではこれに変えて無線方式を適用することでユーザビリティを高める試みが活発に行われている。
【０００３】
既に実用化されて広く普及している電波を利用した無線通信システムとしては、電子情報通信機器間の無線通信に指向性の強い赤外線方式（以下、ＩｒＤＡとする）を利用した赤外線通信システムが挙げられる。但し、この赤外線通信システムの場合、赤外線自体の光特性から対向する電子情報通信機器間を遮蔽物等で遮蔽することなく発光面（送信面）と受光面（受信面）とを対面させる必要がある等、使用環境上において或る程度の制限がある。
【０００４】
そこで、このような使用環境上の制限を改善し得る無線通信システムも提案されており、例えば指向性が弱い電波を利用した近距離無線データ通信（以下、Ｂｌｕｅｔｏｏｔｈとする）システムの場合、半径１０ｍ程度の領域内の電子情報通信機器間を電波により無線接続できるものであり、ＩｒＤＡと比べて使用環境上に制限がないため、将来的に広く普及することが期待されている。
【０００５】
因みに、このような無線通信システムにあっての電子情報通信機器間の無線通信に関連する一般的な周知技術としては、例えば特開平１０−１３５９１０号公報に開示されたマイコン搭載型制御盤及びこの制御盤を備えた駐車場管理システム、特開平１１−１１２６４３号公報に開示されたハンドフリー型通話装置、特開平１１−２６１７３８号公報に開示された携帯電話における通話システム等が挙げられる。
【０００６】
【発明が解決しようとする課題】
上述したＢｌｕｅｔｏｏｔｈシステムの場合、電子情報通信機器間の通信接続時に接続先を特定しようとすると、有線方式の場合のようにケーブルで接続したり、或いはＩｒＤＡの場合のように電子情報通信機器同士を向かい合わせることによる物理的手段の適用で達成できる構成とは異なり、物理的手段を用いて達成することが不可能であり、論理的な識別子による特定が必要となっているため、接続方式が煩雑になって簡単に接続先を特定できないという問題がある。
【０００７】
図６は、従来のＢｌｕｅｔｏｏｔｈシステムにおいて接続先を特定しようとする場合の手順を説明したもので、同図（ａ）は初期段階に関するもの，同図（ｂ）は中期段階に関するもの，同図（ｃ）は後期段階に関するものである。
【０００８】
このＢｌｕｅｔｏｏｔｈシステムにより接続先を特定しようとする場合、先ず初期段階では図６（ａ）に示されるように主電子情報通信機器である携帯電話機３が周辺電子情報通信機器であるワイヤレスヘッドセット１，２に対して質問要求を送信し、ワイヤレスヘッドセット１，２からは質問応答が返信される。そこで、ユーザは中期段階として図６（ｂ）に示されるように携帯電話機３の表示画面３ａ上で表示された質問応答のあったワイヤレスヘッドセット１，２の識別情報に基づいて希望する接続先として例えばワイヤレスヘッドセット１をキー操作して選択する。こうして、後期段階では図６（ｃ）に示されるように携帯電話機３が選択した接続先のワイヤレスヘッドセット１に対してＢｌｕｅｔｏｏｔｈリンク確立する。
【０００９】
又、このＢｌｕｅｔｏｏｔｈシステムの場合、ワイヤレスヘッドセット１，２の機器識別情報として識別子であるＢｌｕｅｔｏｏｔｈデバイスアドレスを用いているが、Ｂｌｕｅｔｏｏｔｈデバイスアドレスが所定の桁数による数字及び文字による羅列となっているため、接続可能な機器リストがユーザ側の携帯電話機３に通知されたとしても、ユーザがその機器リストから実際に希望する接続先を特定するのが困難となっているという問題もある。これは通常の電話を相手先にかける場合に予め相手先の電話番号を知っていなければ電話をかけられないのと同じ理由により、それぞれの電子情報通信機器（携帯電話機３）で識別子（ワイヤレスヘッドセット１，２の機器識別情報）を表示する等の方法を適用したとしてもユーザが予め希望する接続先の電子情報通信機器の識別子（ワイヤレスヘッドセット１，２の機器識別情報）を知っておく必要があるためである。
【００１０】
本発明は、このような問題点を解決すべくなされたもので、その技術的課題は、無線通信システムにおける電子情報通信機器間の無線通信でユーザにより簡単に接続先を特定し得る無線通信接続先特定方法を提供することにある。
【００１１】
【課題を解決するための手段】
本発明によれば、電波を利用して無線通信が可能な無線通信システムにおける電子情報通信機器間でのリンク確立に際し、該電子情報通信機器にあっての接続先側では、ユーザ操作による電源ＯＮでの未接続状態で一定時間毎に該無線通信として赤外線通信により接続を希望する接続要求側へ機器識別情報を転送してから接続待ち状態となり、該接続要求側では、ユーザ操作による接続要求にあっての未接続状態で赤外線受信状態とした上で該機器識別情報を所定の時間内で受信を試みた後にリンク確立中へ移行し、該機器識別情報が受信された場合にはインクワイアリ動作により該接続先側へ質問要求して該接続先側から得られる質問応答に含まれる識別情報と該赤外線受信状態で得られた該機器識別情報とを比較した結果に応じて該比較結果が一致する該接続先側の特定されたものに対して該リンク確立を行って接続状態とし、該機器識別情報が受信されない場合にはインクワイアリ動作により該接続先側へ質問要求して該接続先側から得られる質問応答に含まれる識別情報をユーザに通知した上でユーザ操作による選択で該接続先側の特定されたものに対して該リンク確立を行って接続状態とする無線通信接続先特定方法が得られる。
【００１２】
又、本発明によれば、上記無線通信接続先特定方法において、無線通信システムとしてＢｌｕｅｔｏｏｔｈシステムを利用した無線通信接続先特定方法が得られる。
【００１３】
更に、本発明によれば、上記何れかの無線通信接続先特定方法において、赤外線通信としてＩｒＤＡを利用した無線通信接続先特定方法が得られる。
【００１４】
加えて、本発明によれば、上記無線通信接続先特定方法において、ＩｒＤＡのコネクションレス型通信を使用した無線通信接続先特定方法か、或いはＩｒＤＡのコネクション型通信を使用した無線通信接続先特定方法が得られる。
【００１５】
一方、本発明によれば、上記何れか一つの無線通信接続先特定方法において、機器識別情報としてＢｌｕｅｔｏｏｔｈデバイスアドレスを使用した無線通信接続先特定方法が得られる。
【００１６】
他方、本発明によれば、上記何れか一つの無線通信接続先特定方法において、機器識別情報としてＢｌｕｅｔｏｏｔｈデバイス名を使用した無線通信接続先特定方法が得られる。
【００１７】
【発明の実施の形態】
以下に実施例を挙げ、本発明の無線通信接続先特定方法について、図面を参照して詳細に説明する。
【００１８】
最初に、本発明の無線通信接続先特定方法の技術的概要を説明する。この無線通信接続先特定方法は、指向性が弱い電波を利用したＢｌｕｅｔｏｏｔｈシステム等の無線通信システムにおける電子情報通信機器間でのリンク確立に際し、電子情報通信機器にあっての接続先側では、ユーザ操作による電源ＯＮでの未接続状態で一定時間毎に無線通信として指向性の強いＩｒＤＡ等の赤外線通信により接続を希望する接続要求側へ機器識別情報を転送してから接続待ち状態となり、接続要求側では、ユーザ操作による接続要求にあっての未接続状態で赤外線受信状態とした上で機器識別情報を所定の時間内で受信を試みた後にリンク確立中へ移行し、機器識別情報が受信された場合にはインクワイアリ動作により接続先側へ質問要求して接続先側から得られる質問応答に含まれる識別情報と赤外線受信状態で得られた機器識別情報とを比較した結果に応じて比較結果が一致する接続先側の特定されたものに対してリンク確立を行って接続状態とし、機器識別情報が受信されない場合にはインクワイアリ動作により接続先側へ質問要求して接続先側から得られる質問応答に含まれる識別情報をユーザに通知した上でユーザ操作による選択で接続先側の特定されたものに対してリンク確立を行って接続状態とするものである。但し、ＩｒＤＡではコネクションレス型通信やコネクション型通信を使用することが可能であり、機器識別情報にはＢｌｕｅｔｏｏｔｈデバイスアドレスやＢｌｕｅｔｏｏｔｈデバイス名を使用することができる。
【００１９】
図１は、本発明の無線通信接続先特定方法を適用した一例に係るＢｌｕｅｔｏｏｔｈシステムにおいて接続先を特定しようとする場合の手順を説明したもので、同図（ａ）は初期段階に関するもの，同図（ｂ）は中期段階に関するもの，同図（ｃ）は後期段階に関するものである。
【００２０】
但し、このＢｌｕｅｔｏｏｔｈシステムにおいて、ワイヤレスヘッドセット１１，１２は送話及び受話音声データを携帯電話機３１との間でＢｌｕｅｔｏｏｔｈにより携帯電話機３１を持たずして通話できることが可能なものであり、携帯電話機３１はＢｌｕｅｔｏｏｔｈインターフェース及びＩｒＤＡインターフェースを搭載している。ここでのＢｌｕｅｔｏｏｔｈインターフェースは、ワイヤレスヘッドセット１１，１２との間での音声データ伝送や図示されないパソコン（ＰＣ）との間でのデータ通信等、比較的通信時間が長くなる用途に用いられ、ＩｒＤＡインターフェースの方は、他の携帯電話機やＰＤＡ間での電子名刺交換等の比較的通信時間が短い用途に用いられる。
【００２１】
又、ワイヤレスヘッドセット１１，１２は、両者を識別できるよう互い異なるＢｌｕｅｔｏｏｔｈ機器識別情報を保有していると共に、携帯電話機３１と同様にＢｌｕｅｔｏｏｔｈインターフェース及びＩｒＤＡインターフェースを搭載しているが、ＩｒＤＡインターフェースの方は送信のみに対応している。即ち、ここでのＩｒＤＡインターフェースは、後述するように常に同一なフレームフォーマットを一方的に送信するだけなので、ＩｒＤＡプロトコルを処理させるような複雑なハードウェア及びソフトウェアは必要なく、簡易な構成で構築されており、しかも接続機器を特定する目的で使用しているため、光の指向性や通信到達距離に関してはその目的に添った構成が要求され、具体的には指向性としてＩｒＤＡで規定される±１５°程度、通信到達距離として２０〜３０ｃｍ程度とすることが望ましい。
【００２２】
このＢｌｕｅｔｏｏｔｈシステムにより接続先を特定しようとする場合、先ず初期段階では図１（ａ）に示されるように接続を希望する周辺電子情報通信機器であるワイヤレスヘッドセット１１と主電子情報通信機器である携帯電話機３１とを対向させ、ワイヤレスヘッドセット１１が主電子情報通信機器である携帯電話機３１に対してＩｒＤＡの赤外線通信によりＢｌｕｅｔｏｏｔｈ接続に必要となる機器識別情報としてＢｌｕｅｔｏｏｔｈデバイスアドレスを送信し、これを携帯電話機３１が受信する。
【００２３】
そこで、携帯電話機３１は、中期段階として図１（ｂ）に示されるようにワイヤレスヘッドセット１１，１２に対してＢｌｕｅｔｏｏｔｈリンク確立のための質問要求を送信し、ワイヤレスヘッドセット１１，１２からは質問応答が返信されるが、この質問応答には機器識別情報としてのＢｌｕｅｔｏｏｔｈデバイスアドレスが含まれている。
【００２４】
更に、携帯電話機３１は、後期段階として図１（ｃ）に示されるように赤外線通信により受信した機器識別情報と質問応答により受信した機器識別情報とを比較し、一致したワイヤレスヘッドセット１１に対してＢｌｕｅｔｏｏｔｈ接続を行うことにより接続先のワイヤレスヘッドセット１１に対してＢｌｕｅｔｏｏｔｈリンク確立する。
【００２５】
即ち、このような手順に従えば、例えＢｌｕｅｔｏｏｔｈエリア内に接続を希望しない機器（ワイヤレスヘッドセット）が存在していたとしても、接続を希望する機器間を対向させれば自動的に接続を希望する機器に対してＢｌｕｅｔｏｏｔｈ接続が行われることになる。
【００２６】
図２は、上述したＢｌｕｅｔｏｏｔｈシステムに備えられるワイヤレスヘッドセット１１，１２側の処理動作の状態遷移を示したフローチャートである。
【００２７】
ワイヤレスヘッドセット１１，１２では、先ず［電源ＯＦＦ状態］（ステップＳ１）からユーザによる電源ＯＮ操作により電源ＯＮとなり、［未接続状態］（ステップＳ２）に移行する。この［未接続状態］（ステップＳ２）では、一定時間毎にＢｌｕｅｔｏｏｔｈ識別情報としてＢｌｕｅｔｏｏｔｈデバイスアドレスをＩｒＤＡで規定されているＵｌｔｒａ仕様（Ｉｎｆｒａｒｅｄ  Ｄａｔａ  Ａｓｓｏｃｉａｔｉｏｎ  Ｇｕｉｄｅｌｉｎｅｓ  ｆｏｒ  Ｕｌｔｒａ  Ｐｒｏｔｏｃｏｌｓ  ：Ｏｃｔｏｂｅｒ  １５，１９９７）に沿った形式のフレームフォーマット（詳細は後述する）に基づいて赤外線通信により送信出力した後、Ｂｌｕｅｔｏｏｔｈ接続待ち状態となる。このＢｌｕｅｔｏｏｔｈ接続待ち状態は、携帯電話機３１からＢｌｕｅｔｏｏｔｈ接続されて正常にＢｌｕｅｔｏｏｔｈリンク確立するまで維持される。そこで、Ｂｌｕｅｔｏｏｔｈリンク確立すると、［接続状態］（ステップＳ３）に移行する。
【００２８】
この［接続状態］（ステップＳ３）では、携帯電話機３１とＢｌｕｅｔｏｏｔｈ接続状態にあり、ワイヤレスヘッドセット１１，１２が動作している状態にある。この状態では機器識別情報を赤外線通信により送信する必要がないので、ＩｒＤＡインターフェースデバイスは機能停止している。しかし、ここでユーザによる電源ＯＦＦ操作が行われると、［電源ＯＦＦ状態］（ステップＳ１）に遷移し、何らかの障害でＢｌｕｅｔｏｏｔｈリンク切断に至ると［未接続状態］（ステップＳ２）に戻り、再び一定時間毎にＢｌｕｅｔｏｏｔｈ識別情報（装置識別情報）を赤外線通信により送信出力するようになる。
【００２９】
図３は、上述したＢｌｕｅｔｏｏｔｈシステムに備えられる携帯電話機３１側の処理動作の状態遷移を示したフローチャートである。
【００３０】
携帯電話機３１では、先ず［通常状態］（ステップＳ１）からユーザ操作によるヘッドセット接続要求を受けると、［未接続状態］（ステップＳ２）に移行する。但し、ここでの［通常状態］（ステップＳ１）とは携帯電話機３１の電源ＯＮでＢｌｕｅｔｏｏｔｈリンク確立されていない状態を示す。
【００３１】
［未接続状態］（ステップＳ２）では赤外線受信状態となる。ここでワイヤレスヘッドセット１１，１２から機器識別情報が正常に受信されてヘッドセットから識別情報受信状態の場合には［Ｂｌｕｅｔｏｏｔｈリンク確立中１］（ステップＳ３）に移行するが、一定時間を経過しても機器識別情報が受信されないタイプアウト状態の場合には［Ｂｌｕｅｔｏｏｔｈリンク確立中２］（ステップＳ４）に移行する。
【００３２】
［Ｂｌｕｅｔｏｏｔｈリンク確立中１］（ステップＳ３）では、先ずＢｌｕｅｔｏｏｔｈ仕様（Ｓｐｅｃｉｆｉｃａｔｉｏｎ  ｏｆ  ｔｈｅ  Ｂｌｕｅｔｏｏｔｈ  Ｓｙｓｔｅｍｓ，Ｐｒｏｆｉｌｅｓ，Ｇｅｎｅｒｉｃ  Ａｃｃｅｓｓ  Ｐｒｏｆｉｌｅ：Ｄｅｃｅｍｂｅｒ１，１９９９）で規定されるインクワイアリ動作（質問要求）を行い、Ｂｌｕｅｔｏｏｔｈエリア内のアクティブな機器からのレスポンス（質問応答）を待つ。レスポンス受信後にレスポンス含まれる機器識別情報（Ｂｌｕｅｔｏｏｔｈデバイスアドレス）と赤外線受信した機器識別情報（Ｂｌｕｅｔｏｏｔｈデバイスアドレス）とを比較し、一致した機器（ワイヤレスヘッドセット）に対してＢｌｕｅｔｏｏｔｈ接続によりＢｌｕｅｔｏｏｔｈリンク確立を試みる。この結果、リンク確立成功であれば［接続状態］（ステップＳ５）に移行するが、一致する機器が検知されずに一致無しの場合にはユーザによる接続先の選択が必要なために［Ｂｌｕｅｔｏｏｔｈリンク確立中２］（ステップＳ４）に移行し、何らかの障害でリンク確立できずにリンク確立失敗となった場合には［通常状態］（ステップＳ１）に移行する。
【００３３】
［Ｂｌｕｅｔｏｏｔｈリンク確立中２］（ステップＳ４）では、先ずＢｌｕｅｔｏｏｔｈ仕様で規定されるインクワイアリ動作（質問要求）を行い、Ｂｌｕｅｔｏｏｔｈエリア内のアクティブな機器からのレスポンス（質問応答）を待つ。レスポンス受信後にレスポンスに含まれる機器識別情報をユーザに通知し、この中からユーザが選択した機器に対してＢｌｕｅｔｏｏｔｈ接続によりＢｌｕｅｔｏｏｔｈリンク確立を試みる。この結果、リンク確立成功であれば［接続状態］（ステップＳ５）に移行するが、何らかの障害でリンク確立できずにリンク確立失敗となった場合には［通常状態］（ステップＳ１）に移行する。
【００３４】
［接続状態］（ステップＳ５）では、ワイヤレスヘッドセット１１，１２と接続状態にあり、携帯電話機３１側の送話デバイス（マイク）及び受話デバイス（スピーカ）は停止する。この状態でユーザ操作があるか、或いは何らかの障害でリンク切断となると［通常状態］（ステップＳ１）に移行する。
【００３５】
図４は、ワイヤレスヘッドセット１１，１２が赤外線通信により送信出力するフレームフォーマット形式を示した模式図である。但し、ここで適用されるＵｌｔｒａ仕様はＩｒＤＡにおいて非コネクション状態、即ち、コネクション手順を踏まない状態で相手に一方的にデータを送信する方式であり、転送手順として確認用ＡＣＫを必要としないことが特徴となっている。
【００３６】
具体的に言えば、ＵｌｔｒａレイヤのＰａｙｌｏａｄは、その下位レイヤであるＩｒＬＭＰ，ＩｒＬＡＰのＰａｙｌｏａｄにカプセル化されて格納されている。ＵｌｔｒａレイヤのＰａｙｌｏａｄは、プロトコル識別子（ＰＩＤ）と、実際に転送されるデータ（Ｐｒｏｔｏｃｏｌ  Ｄａｔａ）とによる２つの部分で構成される。ここではプロトコル識別子にＢｌｕｅｔｏｏｔｈ接続用の専用コードを定義し、実際に転送するＢｌｕｅｔｏｏｔｈ機器識別情報（Ｂｌｕｅｔｏｏｔｈデバイスアドレス）はＰｒｏｔｏｃｏｌ  Ｄａｔａに配置する。
【００３７】
携帯電話機３１は、Ｕｌｔｒａフレームを受信するとＰＩＤ部に格納されたプロトコル識別子から受信したＵｌｔｒａフレームがＢｌｕｅｔｏｏｔｈ接続用フレームか否かを判断し、Ｂｌｕｅｔｏｏｔｈ接続用フレームと判断された場合にのみＰｒｏｔｏｃｏｌ  Ｄａｔａ部から機器識別情報（Ｂｌｕｅｔｏｏｔｈデバイスアドレス）を抽出する。このようにプロトコル識別子に本発明の用途専用コードを定義することにより、Ｕｌｔｒａ仕様を使用した他のアプリケーションが出力するフレームを誤って受信することが無くなる。
【００３８】
図５は、本発明の無線通信接続先特定方法を適用した他例に係るＢｌｕｅｔｏｏｔｈシステムにおいて接続先を特定しようとする場合の手順を説明したもので、同図（ａ）は初期段階に関するもの，同図（ｂ）は中期段階に関するもの，同図（ｃ）は後期段階に関するものである。
【００３９】
このＢｌｕｅｔｏｏｔｈシステムでは、先の一実施例で使用した機器識別情報としてのＢｌｕｅｔｏｏｔｈデバイスアドレスに代え、Ｂｌｕｅｔｏｏｔｈデバイス名を使用するようにした点が相違している。
【００４０】
このＢｌｕｅｔｏｏｔｈシステムにより接続先を特定しようとする場合、先ず初期段階では図５（ａ）に示されるように接続を希望する周辺電子情報通信機器であるワイヤレスヘッドセット２１と主電子情報通信機器である携帯電話機３２とを対向させ、ワイヤレスヘッドセット２１が主電子情報通信機器である携帯電話機３２に対してＩｒＤＡの赤外線通信によりＢｌｕｅｔｏｏｔｈ接続に必要となる機器識別情報としてＢｌｕｅｔｏｏｔｈデバイス名を送信し、これを携帯電話機３２が受信する。
【００４１】
そこで、携帯電話機３２は、中期段階として図５（ｂ）に示されるようにワイヤレスヘッドセット２１，２２に対してＢｌｕｅｔｏｏｔｈリンク確立のための名称要求を送信し、ワイヤレスヘッドセット１１，１２からは名称応答が返信されるが、この名称応答には機器識別情報としてのＢｌｕｅｔｏｏｔｈデバイス名が含まれている。
【００４２】
更に、携帯電話機３２は、後期段階として図５（ｃ）に示されるように赤外線通信により受信した機器識別情報と名称応答により受信した機器識別情報とを比較し、一致したワイヤレスヘッドセット２１に対してＢｌｕｅｔｏｏｔｈ接続を行うことにより接続先のワイヤレスヘッドセット２１に対してＢｌｕｅｔｏｏｔｈリンク確立する。
【００４３】
即ち、このような手順に従えば、一実施例の場合と同様に例えＢｌｕｅｔｏｏｔｈエリア内に接続を希望しない機器（ワイヤレスヘッドセット）が存在していたとしても、接続を希望する機器間を対向させれば自動的に接続を希望する機器に対してＢｌｕｅｔｏｏｔｈ接続が行われることになる。
【００４４】
尚、上述した各実施例のＢｌｕｅｔｏｏｔｈシステムでは、何れも電子情報通信機器として携帯電話機３１及びワイヤレスヘッドセット１１，１２の間か、或いは携帯電話機３２及びワイヤレスヘッドセット２１，２２の間をＢｌｕｅｔｏｏｔｈ接続する場合を説明したが、この他の電子情報通信機器として例えばパソコン（ＰＣ）及びワイヤレスキーボードの間をＢｌｕｅｔｏｏｔｈ接続する構成に適用する等、本発明は同様な条件下に置かれる他の電子情報通信機器を用いた構成のＢｌｕｅｔｏｏｔｈシステムにおいても適用可能である。
【００４５】
又、上述した各実施例のＢｌｕｅｔｏｏｔｈシステムの場合、ＩｒＤＡ通信プロトコル、フレームフォーマットとしてＵｌｔｒａ仕様を適用した場合を説明したが、転送手順として確認用ＡＣＫを必要としない手順（コネクションレス型通信）、具体的にはＩｒＬＡＰ仕様で準備されるＵＩフレームを使用する手順であればＵｌｔｒａ仕様に限らず適用可能であるし、確認用ＡＣＫを必要とする手順（コネクション型通信）を適用することも可能である。但し、後者の場合、各実施例で説明したワイヤレスヘッドセット１１，１２，２１，２２側のＩｒＤＡインターフェースも送受信に対応するタイプとする必要があるため、携帯電話機３１，３２側と同様のＩｒＤＡインターフェースが必要となる。
【００４６】
更に、上述した各実施例のＢｌｕｅｔｏｏｔｈシステムの場合、指向性が弱い電波を利用した無線通信システムの一例とし、更に指向性の強い赤外線通信を利用した通信システムとしてＩｒＤＡ通信を行う場合を想定したが、本発明は何れの通信システムにも限定されない。即ち、本発明は、指向性が弱い電波を利用した無線通信システムの接続先の特定に際し、指向性が強い赤外線通信を利用した無線通信システムを併用するという組み合わせであれば、その他のシステムでも適用可能である。
【００４７】
【発明の効果】
以上に述べた通り、本発明の無線通信接続先特定方法によれば、指向性が弱い電波を利用した無線通信システムにおける電子情報通信機器間でのリンク確立に際し、電子情報通信機器にあっての接続先側では、ユーザ操作による電源ＯＮでの未接続状態で一定時間毎に無線通信として指向性の強い赤外線通信により接続を希望する接続要求側へ機器識別情報を転送してから接続待ち状態となり、接続要求側では、ユーザ操作による接続要求にあっての未接続状態で赤外線受信状態とした上で機器識別情報を所定の時間内で受信を試みた後にリンク確立中へ移行し、機器識別情報が受信された場合にはインクワイアリ動作により接続先側へ質問要求して接続先側から得られる質問応答に含まれる識別情報と赤外線受信状態で得られた機器識別情報とを比較した結果に応じて比較結果が一致する接続先側の特定されたものに対してリンク確立を行って接続状態とし、機器識別情報が受信されない場合にはインクワイアリ動作により接続先側へ質問要求して接続先側から得られる質問応答に含まれる識別情報をユーザに通知した上でユーザ操作による選択で接続先側の特定されたものに対してリンク確立を行って接続状態とするようにしているので、接続を希望する機器同士を対向させるだけでリンク確立が終了するため、指向性が弱い電波を利用した無線通信システムでの接続方法が簡易になり、しかも接続先の特定が容易になり、結果として無線通信システムにおける電子情報通信機器間の無線通信でユーザにより簡単に接続先を特定し得るようになる。
【図面の簡単な説明】
【図１】本発明の無線通信接続先特定方法を適用した一例に係るＢｌｕｅｔｏｏｔｈシステムにおいて接続先を特定しようとする場合の手順を説明したもので、（ａ）は初期段階に関するもの，（ｂ）は中期段階に関するもの，（ｃ）は後期段階に関するものである。
【図２】図１に示すＢｌｕｅｔｏｏｔｈシステムに備えられるワイヤレスヘッドセット側の処理動作の状態遷移を示したフローチャートである。
【図３】図１に示すＢｌｕｅｔｏｏｔｈシステムに備えられる携帯電話機側の処理動作の状態遷移を示したフローチャートである。
【図４】図１に示すＢｌｕｅｔｏｏｔｈシステムに備えられるワイヤレスヘッドセットが赤外線通信により送信出力するフレームフォーマット形式を示した模式図である。
【図５】本発明の無線通信接続先特定方法を適用した他例に係るＢｌｕｅｔｏｏｔｈシステムにおいて接続先を特定しようとする場合の手順を説明したもので、（ａ）は初期段階に関するもの，（ｂ）は中期段階に関するもの，（ｃ）は後期段階に関するものである。
【図６】従来のＢｌｕｅｔｏｏｔｈシステムにおいて接続先を特定しようとする場合の手順を説明したもので、（ａ）は初期段階に関するもの，（ｂ）は中期段階に関するもの，（ｃ）は後期段階に関するものである。
【符号の説明】
１，２，１１，１２，２１，２２  ワイヤレスヘッドセット
３，３１，３２  携帯電話機
３ａ  表示画面
【図１】
0003558125.tif 000002
【図２】
0003558125.tif 000003
【図３】
0003558125.tif 000004
【図４】
0003558125.tif 000005
【図５】
0003558125.tif 000006
【図６】
0003558125.tif 000007